(57)【要約】【課題】    従来のずきんは、幅広く、災害・避難において、頭部、及び／又は、肩部を始めとして、人命保護という特別な役割がある災害・避難用のずきんとか、風雪寒暑や土埃、砂埃などの傷害を防ぐための防寒用のずきん、さらには仕事上で必需品なる衛生・医学用のずきん等がある。必ずしも、目的を達成してなかった。【解決手段】    本発明は、後頭部に続く細長三角形状の両顔面下部とでなるずきん後頭顔面部、後頭部の一方側に続く、半截椀形のずきん頭部、ずきん頭部に設けた庇、後頭部の他方側に続き、首部及び肩部に到る略台形形状のずきん首肩部、両顔面下部の端部間に差渡しした紐、でなる災害・避難用ずきん。災害時・避難時において、最も大切な頭頂部と後頭部とを最低限保護しつつ、頭全体の保護を図る災害・避難用ずきん。【選択図】      図１
2018114200.tif 000002
【特許請求の範囲】
【請求項１】
略板状の後頭布地と、前記後頭部に続く細長三角形状の両顔面下部布地とでなる（前記後頭部、及び前記両顔面下部とを覆う）略船形状のずきん後頭顔面部、前記後頭布地の一方側に続く（頭頂部及び額とを覆う）半截椀形のずきん頭部、前記ずきん頭部に設けた庇、前記後頭布地の他方側に続き、首部及び肩部に到る（首部と肩部とを覆う）略台形形状のずきん首肩部、前記両顔面下部の端部間に差渡しした紐、でなる災害・避難用ずきん。
【請求項２】
前記後頭部と前記両顔面下部とは、二枚の布地、前記布地間に設けた網体、及び／又は、緩衝体、でなる請求項１に記載の災害・避難用ずきん。
【請求項３】
前記後頭部と前記両顔面下部とは、二枚の布地、前記布地間に設けた網体、及び／又は、緩衝体、前記布地間に設けた防火シート、でなる請求項１に記載の災害・避難用ずきん。
【請求項４】
前記ずきん頭部の両縁部と、前記後頭部の一方縁部との接合部に、第１スライドファスナを備えた請求項１に記載の災害・避難用ずきん。
【請求項５】
前記ずきん首肩部の他方縁部と、前記後頭部の他方縁部との接合部に、第２スライドファスナを備えた請求項１に記載の災害・避難用ずきん。
【請求項６】
前記ずきん後頭顔面部の両顔面下部を、前記後頭部に折曲げ重畳し、前記第１の折曲げ重畳部位、前記ずきん頭部を、折曲げ重畳し、前記ずきん後頭顔面部の折曲げ重畳し、前記第２の折曲げ重畳部位、ずきん首肩部を、折曲げ重畳し、第３の折曲げ重畳部位、をそれぞれ形成し、座布団使用態様が可能とする請求項１に記載の災害・避難用ずきん。
【請求項７】
前記網体、及び／又は、緩衝体は、平面視して、略Ｈ形を呈し、両端に三角切込みを備えていることを特徴とした請求項１に記載の災害・避難用ずきん。
【発明の詳細な説明】
【技術分野】
【０００１】
本発明は、災害・避難用、又は防寒用として、最適なずきんに関する。
【背景技術】
【０００２】
ずきん（頭巾）は、幅広く、例えば、災害・避難において、頭部、及び／又は、肩部を始めとして、人命保護という特別な役割がある災害・避難用のずきんとか、風雪寒暑や土埃、砂埃などの傷害を防ぐための防寒用のずきん、さらには仕事上で必需品なる衛生・医学用のずきん等がある。
【０００３】
本発明は、Ａ６２Ｂの分野（本分野とする）で、主として、災害・避難用、又は防寒用として必要とするずきんに関する。
【０００４】
本分野に関する先行文献として、以下の考案と発明が挙げられる。文献（１）は、実用新案登録第３１８１５６５号であり、震災時、火災時の避難の際に、ビル等の上方階からの落下物に対しても有効に頭部を保護しうる避難用具であって、防災頭巾に関する。この防災頭巾は、側面視して略台形状の頭部被覆部と、頭部被覆部に連設された肩被覆片部とでなり、一枚の略長方形状の被覆用布部材を利用して形成されていることが特徴である。文献（２）は、特開２０１１−２０８３２２号であり、震災等の緊急事態において、頭巾に収納部、収納袋を複数設け、下着類、必需品を収納し、収納物を緩衝材とし、頭部や肩部周辺を保護する防災頭巾であって、防災頭巾に関する。この防災頭巾は、平面状に展開可能であって装着時には立体的頭巾となり、頭巾の頭部本体の裏面の頭頂部や両側頭部に複数の収納部を設け、収納部に下着、タオル等の緩衝材を収納し、頭部本体の両端縁部に収納袋を複数装着し、端縁部に添って紐の挿入部を形成されていることが特徴である。
【０００５】
【特許文献１】実用新案登録第３１８１５６５号公報
【特許文献２】特開２０１１−２０８３２２号公報
【発明の概要】
【発明が解決しようとする課題】
【０００６】
文献１、２においては、防災頭巾としての役割は理解できるが、顔面の保護に関する手当てがなく、改良の余地がある。また、頭頂部と後頭部とには、緩衝用の素材に関する手当てはあるが、説明による緩衝材では、咄嗟の時とか硬い障害の落下時においては、必ずしも十分とは考えられない。
【０００７】
上記に鑑み、本発明は、災害時・避難時において、最も大切な頭頂部と後頭部とを最低限保護しつつ、頭全体の保護を図る災害・避難用ずきんの提案と、肩部の自由度を最大限に確保し、災害・避難において、体の自由度と、速やかな行動と動作とを確保できるずきんの提案とを目的とする。
【課題を解決するための手段】
【０００８】
前記本発明の提案を実現するために、請求項１〜７を開示する。
【発明の効果】
【０００９】
請求項１の発明は、略板状の後頭布地と、後頭部に続く細長三角形状の両顔面下部布地とでなる後頭部、及び両顔面下部とを覆う略船形状のずきん後頭顔面部、後頭布地の一方側に続く頭頂部及び額とを覆う半截椀形のずきん頭部、ずきん頭部に設けた庇、後頭布地の他方側に続き、首部及び肩部に到る首部と肩部とを覆う略台形形状のずきん首肩部、両顔面下部の端部間に差渡しした紐、でなる災害・避難用ずきんである。
【００１０】
従って、請求項１は、災害時・避難時において、最も大切な頭頂部と後頭部とを最低限保護しつつ、頭全体の保護を図る災害・避難用ずきんとなる。また、肩部の自由度を最大限に確保し、災害・避難において、体の自由度と、速やかな行動と動作とを確保できるずきんとなる。
【００１１】
請求項２の発明は、後頭部と両顔面下部とは、二枚の布地、布地間に設けた網体、及び／又は、緩衝体、でなる災害・避難用ずきんである。
【００１２】
従って、請求項２は、後頭部と両顔面下部（両顔面とは、顔面の左右を云う）とを、確実に保護できることと、請求項１の特徴を達成できる。
【００１３】
請求項３の発明は、後頭部と両顔面下部とは、二枚の布地、前記布地間に設けた網体、及び／又は、緩衝体、布地間に設けた防火シート、でなる災害・避難用ずきんである。
【００１４】
従って、請求項３は、後頭部と両顔面下部とを、確実に保護できることと、請求項１の特徴を達成できる。
【００１５】
請求項４の発明は、ずきん頭部の両縁部と、後頭部の一方縁部との接合部に、第１スライドファスナを備えた災害・避難用ずきんである。
【００１６】
従って、請求項４は、ずきん頭部の両縁部を、ずきん後頭顔面部に、ワンタッチで取付け、又はその取外しできることによるずきんの使用と、座布団の使用と、に有効であることと、請求項１の特徴を達成できる。
【００１７】
請求項５の発明では、ずきん首肩部の他方縁部と、後頭部の他方縁部との接合部に、第２スライドファスナを備えた災害・避難用ずきんである。
【００１８】
従って、請求項５は、ずきん頭部の両縁部を、ずきん後頭顔面部に、ワンタッチで取付け、又はその取外しできることによるずきんの使用と、座布団の使用と、に有効であることと、請求項１の特徴を達成できる。
【００１９】
請求項６の発明は、ずきん後頭顔面部の両顔面下部を、後頭部に折曲げ重畳し、第１の折曲げ重畳部位、ずきん頭部を、折曲げ重畳し、ずきん後頭顔面部の折曲げ重畳し、第２の折曲げ重畳部位、ずきん首肩部を、折曲げ重畳し、第３の折曲げ重畳部位、をそれぞれ形成し、座布団使用態様が可能とする災害・避難用ずきんである。
【００２０】
従って、請求項６は、ずきんとしての利用の他に、例えば、災害時において、緊急用の座布団としての使用と、その効果を達成できることと、健康維持と心のケアーに役立つことと、請求項１の特徴をも達成できる。
【００２１】
請求項７の発明では、網体、及び／又は、緩衝体は、平面視して、略Ｈ形を呈し、両端に三角切込みを備えている災害・避難用ずきんである。
【００２２】
従って、請求項７は、ずきんの両顔面下部へのフィット感と、かつずきん後頭顔面部への両顔面下部へのフィット感とを達成でき、使用の違和感解消と、ずきん使用の誘引効果とが考えられることと、請求項１の特徴を達成できる。
【図面の簡単な説明】
【００２３】
【図１】ずきんを展開して示した一部欠截の正面俯瞰図
【図２】ずきんを展開して示した裏面俯瞰図
【図３−１】ずきん後頭顔面部の一例であって、各部材を分解して示した斜視図
【図３−２】ずきん後頭顔面部の他の一例であって、各部材を分解して示した斜視図
【図４−１】ずきんを使用した状態の一例であり、複数個所を一部欠截した正面視した斜視図
【図４−２】ずきんを使用した状態の一例であり、背面視した斜視図
【図５−１】ずきんを折り畳み、座布団として使用する状態の一例であり、正面視した図
【図５−２】ずきんを折り畳み、座布団として使用する状態の一例であり、裏面視した図
【発明を実施するための形態】
【００２４】
図１と図２において、ずきん１は、人Ｈの後頭部Ｈ１と両顔面下部Ｈ２（左右の頬と口の部位を云う）を覆う、略舟艇形を呈するずきん後頭顔面部２と、ずきん後頭顔面部２の一方縁部２ａに繋がる頭頂部Ｈ３及び額Ｈ４を覆う、略半截椀形を呈するずきん頭部３と、ずきん頭部３に設けた庇４と、ずきん後頭顔面部２の他方縁部２ｂに続き、首部Ｈ５及び肩部Ｈ６に到る、この首部Ｈ５と肩部Ｈ６とを覆う略台形形状のずきん首肩部５と、また、図１において、ずきん後頭顔面部２の左側（図面に向かって、）の一方縁部２ａの内側には、後述する口部と鼻部を覆う略マスク型のずきん鼻部６と、前記両顔面下部Ｈ２の間に差渡した紐２０７と、を主構成とする。以下、個別に、詳細に説明する。
【００２５】
◎  人Ｈの後頭部Ｈ１と両顔面下部Ｈ２（左右の頬と口の部位を云う）を覆う、略舟艇形を呈するずきん後頭顔面部２は、図１〜図３−２において、詳細に示されている。ずきん後頭顔面部２は、略舟艇形を呈する二枚の布地２００、２０１は、平面視して、後頭部Ｈ１をカバーする（覆う）長方形の後頭布地２００ａ、２０１ａと、この後頭布地２００ａ、２０１ａの両側に繋がる両顔面下部Ｈ２をカバー（覆う）する三角形の顔面下部布地２００ｂ、２００ｃと、２０１ｂ、２０１ｃと、に部分形態となって構成する（以下同じ）。そして、望ましくは、二枚の布地２００、２０１間に、同形の防水シート２０２と、後頭布地２００ａ、２０１ａ間に位置するように設けた網２０３と緩衝材２０４とを備えた構造である。この網２０３と緩衝材２０４は、平面視して、略倒Ｈ形をしており、拡縮容易な構造とする（図３−１の例では）。また、網体２０３（網）と緩衝材２０４のみとする例も有り得る（図３−２の例では）。図３−２の例は，図３−１の例に準ずる。そして、前記網体２０３、及び／又は、緩衝体２０４は、平面視して、略Ｈ形を呈し、両端に三角切込み２０３ａ（２０４ａ）、２０３ｂ（２０４ｂ）と、切込み収れん部に、環状のクッション部２０５、２０６を備えている。これによって、請求項７に記載した特徴がある。
【００２６】
◎  ずきん後頭顔面部２の一方縁部２ａに繋がる頭頂部Ｈ３及び額Ｈ４を覆う、略半截椀形を呈するずきん頭部３は、図１〜図３−２において、詳細に示されている。ずきん頭部３は、一方縁部２ａ（後頭部布地２００）に逢着Ｘして一体に形成されているとともに、この後頭部布地２００と、この後頭部布地２００の両側（逢着Ｘ箇所を除いた）から顔面下部布地２００ｂ及び顔面下部布地２０１ｂに設けた第１スライドファスナ７と、この第１スライドファスナ７に噛合する、ずきん頭部３の両端部に設けた第２スライドファスナ８とを備えている。従って、この第１・第２スライドファスナ７、８を噛合し、ずきん１を頭部Ｈ７に装着時した際には、図４−１の如く、ずきん後頭顔面部２の後頭布地２００ａ、２０１ａは、後頭部Ｈ１を覆い、かつ顔面下部布地２００ｂ、２００ｃと顔面下部布地２０１ｂ、２０１ｃは、顔面下部Ｈ２を覆う状態で、頭頂部Ｈ３を覆う構造である。図示のように、ずきん後頭顔面部２の後頭部布地部２００ａ、２０１ａが、後頭部Ｈ１に添って、略鉛直状に立設した状態で、ずきん頭部３が、略９０°に折れ曲がった状態となり、かつ頭部Ｈ７にフットするとともに、庇４が額Ｈ４に当接する。尚、ずきん頭部３は、緩衝材、網等の保護材を内装した表裏頭部布地３００で構成されている。
【００２７】
◎  後頭部２の他方縁部２ｂに続き、首部Ｈ５及び肩部Ｈ６に到る、この首部Ｈ５と肩部Ｈ６とを覆う略台形形状のずきん首肩部５は、図１〜図３−２において、詳細に示されている。ずきん首肩部５は、他方縁部２ｂ（後頭部布地２００）に逢着Ｙして一体に形成されているとともに、このずきん首肩部５の逢着Ｙ箇所を除いた両側の後頭部布地２００に設けた第３スライドファスナ９と、この第３スライドファスナ９に噛合する、ずきん首肩部５の両端部に設けた第４スライドファスナ１０とを備えている。従って、この第３・第４スライドファスナ９、１０を噛合し、ずきん１を頭部Ｈ７に装着時した際には、図４−２の如く、ずきん首肩部５は、首部Ｈ５と肩部Ｈ６とを覆う構造である。図示のように、緩衝材等を内装した表裏首部布地５００が首部Ｈ５の後部を保護する。また緩衝材等を内装した表裏肩部布地５０１が肩部Ｈ６の略全体を保護する。
【００２８】
◎  口部Ｈ９と鼻部Ｈ１０を覆う略マスク型のずきん鼻部６は、図１、図２、図４−１において、詳細に示されている。少なくとも二枚の鼻部布地５００を縫合して形成するとともに、左側の顔面下部Ｈ２の一方縁部２ａ（顔面下部布地２００ｃ一方縁部（符号なし））の端部で、その内側に一端を取付ける。他端は開放する。ずきん鼻部６には、面ファスナ６００を設け、ずきん後頭顔面部２に設けた面ファスナ２０８に噛合し、口部Ｈ６と鼻部Ｈ１０とを覆う。図中６０１はずきん鼻部６の鼻部布地を示す。
【００２９】
続いて、ずきん１の使用状態（装着状態）の好ましい、一例を説明すると、ずきん頭部３に設けた左右の第２スライドファスナ８と、ずきん後頭顔面部２の左右の第１スライドファスナ７とを噛合し（第１・第２スライドファスナ８、７を閉める）、ずきん後頭顔面部２の上に（略９０°の上に）、ずきん頭部３が被さるように取付けられた状態を確保する（図４−２の上方側を参照）。そして、同じようにずきん首肩部５の首部布地５００に設けた左右の第４スライドファスナ１０と、ずきん後頭顔面部２の左右の第３スライドファスナ９とを噛合し（第３・第４スライドファスナ９、１０を閉める）、ずきん後頭顔面部２の下側に（肩部Ｈ６と背中部を覆うように、肩部Ｈ６の鉛直方向に）、ずきん首肩部５が被さるように取付けられた状態を確保する（図４−２の鉛直側を参照）。
【００３０】
その後、ずきん後頭顔面部２の左右の顔面下部布地２００ｃ（２０１ｃ）、及び顔面下部布地２００ｂ（２０１ｂ）を、左右の顔面下部Ｈ２に当接しながら、面ファスナ、及び／又は、紐２０５を結ぶと、この左右の顔面下部Ｈ２と左右の頬Ｈ８は、当該ずきん後頭顔面部２の左右で覆われる。そして、口部Ｈ９と鼻部Ｈ１０はずきん鼻部６を、左右の顔面下部布地２００ｃ（２０１ｃ）・２００ｂ（２０１ｂ）に、図示しない面ファスナ、又は紐２０５等をそれぞれ設け、これによって、ずきん後頭顔面部２を、頬Ｈ８と口部Ｈ９等を覆うように取付ける（図４−１参照）。
【００３１】
以上の所作で、人Ｈの後頭部Ｈ１、顔面下部Ｈ２等にずきん１を装着する。これにより、災害から人Ｈを保護できる。また避難等を行う際には、安心、かつ安全が担保されると考えられる。
【００３２】
そして、図５−１と図５−２との座布団Ｑとしての使用は、例えば、ずきん後頭顔面部２の後頭布地２００ａ（２０１ａ）を基として、座布団Ｑを作成する。その一例は、後頭布地２００ａ、又は２０１ａ（何れか一方で説明する）を基本として、他の部材を、積層する。この一例では、顔面下部布地２００ｂ（２０１ｂ）、及び顔面下部布地２００ｃ（２０１ｃ）を、適宜、第１、第２の折畳みをする。その後、第１スライドファスナ７と第２スライドファスナ８を開放し、ずきん頭部３を同じようにして、第３の折畳みを行う。最後に、第３スライドファスナ９と第４スライドファスナ１０を開放し、ずきん首肩部５を同じようにして、第４の折畳みを行う。この仕上がり状態が、図５−２となる。これにより、例えば、略フラットな長方形となるので、避難時に最適であり、場合により、乳幼児、子供用等の上布団としての利用も可能である。
【００３３】
前述した各実施例は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００３４】
１  ずきん
２  ずきん後頭顔面部
２ａ  一方縁部
２ｂ  他方縁部
２００  布地
２００ａ  後頭布地
２００ｂ  顔面下部布地
２００ｃ  顔面下部布地
２０１  布地
２０１ａ  後頭布地
２０１ｂ  顔面下部布地
２０１ｃ  顔面下部布地
２０２  防火シート
２０３  網体
２０３ａ  三角切込み
２０３ｂ  三角切込み
２０４  緩衝材
２０４ａ  三角切込み
２０４ｂ  三角切込み
２０５  クッション部
２０６  クッション部
２０７  紐
２０８  面ファスナ
３  ずきん頭部
３００  頭部布地
４  庇
５  ずきん首肩部
５００  首部布地
５０１  肩部布地
６  ずきん鼻部
６００  面ファスナ
６０１  鼻部布地
７  第１スライドファスナ
８  第２スライドファスナ
９  第３スライドファスナ
１０  第４スライドファスナ
Ｈ  人
Ｈ１  後頭部
Ｈ２  顔面下部
Ｈ３  顔面下部
Ｈ４  額
Ｈ５  首部
Ｈ６  肩部
Ｈ７  頭部
Ｈ８  頬
Ｈ９  口部
Ｈ１０  鼻部
Ｘ  逢着
Ｙ  逢着
【図１】
2018114200.tif 000003
【図２】
2018114200.tif 000004
【図３−１】
2018114200.tif 000005
【図３−２】
2018114200.tif 000006
【図４−１】
2018114200.tif 000007
【図４−２】
2018114200.tif 000008
【図５−１】
2018114200.tif 000009
【図５−２】
2018114200.tif 000010
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
板状の後頭部を覆う後頭布地と、この後頭布地に続く細長三角形状の両顔面下部を覆う両顔面下部布地とでなる舟艇形のずきん後頭顔面部、前記後頭布地の一方縁部に続く頭頂部及び額とを覆う半截椀形のずきん頭部、前記ずきん頭部に設けた庇、前記後頭布地の他方縁部に続き、首部及び肩部に到る首部と肩部とを覆う台形形状のずきん首肩部、前記両顔面下部布地の端部間に差渡しした紐、でなる災害・避難用ずきん。
【請求項２】
前記ずきん後頭顔面部は、二枚の布地からなり、この二枚の布地間で、かつ前記後頭布地と重なる領域内に設けた網体、及び／又は、緩衝材を備えた請求項１に記載の災害・避難用ずきん。
【請求項３】
前記ずきん後頭顔面部は、二枚の布地からなり、この二枚の布地間で、かつ前記後頭布地と重なる領域内に設けた網体、及び／又は、緩衝材を備え、かつ前記二枚の布地間に設けた防火シートを備えた請求項１に記載の災害・避難用ずきん。
【請求項４】
前記ずきん頭部の両縁部と、前記後頭布地の一方縁部との接合部に、第１・第２スライドファスナを備えた請求項１に記載の災害・避難用ずきん。
【請求項５】
前記ずきん首肩部の他方縁部と、前記後頭布地の他方縁部との接合部に、第３・第４スライドファスナを備えた請求項１に記載の災害・避難用ずきん。
【請求項６】
前記ずきん後頭顔面部の両顔面下部布地を、前記後頭布地に折曲げ重畳し、第１・第２の折曲げ重畳部位、前記ずきん頭部を、折曲げ重畳し、前記ずきん後頭顔面部の折曲げ重畳し、第３の折曲げ重畳部位、ずきん首肩部を、折曲げ重畳し、第４の折曲げ重畳部位、をそれぞれ形成し、座布団使用態様が可能とする請求項１に記載の災害・避難用ずきん。
【請求項７】
前記網体、及び／又は、緩衝材は、平面視して、Ｈ形を呈し、両端に三角切込みを備えていることを特徴とした請求項２、又は請求項３に記載の災害・避難用ずきん。
【手続補正２】
【補正対象書類名】明細書
【補正対象項目名】０００９
【補正方法】変更
【補正の内容】
【０００９】
請求項１の発明は、板状の後頭部を覆う後頭布地と、後頭布地に続く細長三角形状の両顔面下部を覆う両顔面下部布地とでなる舟艇形のずきん後頭顔面部、後頭布地の一方縁部に続く頭頂部及び額とを覆う半截椀形のずきん頭部、ずきん頭部に設けた庇、後頭布地の他方縁部に続き、首部及び肩部に到る首部と肩部とを覆う台形形状のずきん首肩部、両顔面下部布地の端部間に差渡しした紐、でなる災害・避難用ずきんである。
【手続補正３】
【補正対象書類名】明細書
【補正対象項目名】００１１
【補正方法】変更
【補正の内容】
【００１１】
請求項２の発明は、ずきん後頭顔面部は、二枚の布地からなり、二枚の布地間で、かつ前記後頭布地と重なる領域内に設けた網体、及び／又は、緩衝材を備えた災害・避難用ずきんである。
【手続補正４】
【補正対象書類名】明細書
【補正対象項目名】００１３
【補正方法】変更
【補正の内容】
【００１３】
請求項３の発明は、ずきん後頭顔面部は、二枚の布地からなり、二枚の布地間で、かつ後頭布地と重なる領域内に設けた網体、及び／又は、緩衝材を備え、かつ二枚の布地間に設けた防火シートを備えた災害・避難用ずきんである。
【手続補正５】
【補正対象書類名】明細書
【補正対象項目名】００１５
【補正方法】変更
【補正の内容】
【００１５】
請求項４の発明は、ずきん頭部の両縁部と、後頭布地の一方縁部との接合部に、第１・第２スライドファスナを備えた災害・避難用ずきんである。
【手続補正６】
【補正対象書類名】明細書
【補正対象項目名】００１７
【補正方法】変更
【補正の内容】
【００１７】
請求項５の発明は、ずきん首肩部の他方縁部と、後頭布地の他方縁部との接合部に、第３・第４スライドファスナを備えた災害・避難用ずきんである。
【手続補正７】
【補正対象書類名】明細書
【補正対象項目名】００１９
【補正方法】変更
【補正の内容】
【００１９】
請求項６の発明は、ずきん後頭顔面部の両顔面下部布地を、後頭布地に折曲げ重畳し、第１・第２の折曲げ重畳部位、ずきん頭部を、折曲げ重畳し、ずきん後頭顔面部の折曲げ重畳し、第３の折曲げ重畳部位、ずきん首肩部を、折曲げ重畳し、第４の折曲げ重畳部位、をそれぞれ形成し、座布団使用態様が可能とする災害・避難用ずきんである。
【手続補正８】
【補正対象書類名】明細書
【補正対象項目名】００２１
【補正方法】変更
【補正の内容】
【００２１】
請求項７の発明は、網体、及び／又は、緩衝材は、平面視して、Ｈ形を呈し、両端に三角切込みを備えている災害・避難用ずきんである。
【手続補正９】
【補正対象書類名】明細書
【補正対象項目名】００２５
【補正方法】変更
【補正の内容】
【００２５】
◎  人Ｈの後頭部Ｈ１と両顔面下部Ｈ２（左右の頬と口の部位を云う）を覆う、略舟艇形を呈するずきん後頭顔面部２は、図１〜図３−２において、詳細に示されている。ずきん後頭顔面部２は、略舟艇形を呈する二枚の布地２００、２０１は、平面視して、後頭部Ｈ１をカバーする（覆う）長方形の後頭布地２００ａ、２０１ａと、この後頭布地２００ａ、２０１ａの両側に繋がる両顔面下部Ｈ２をカバー（覆う）する三角形の顔面下部布地２００ｂ、２００ｃと、２０１ｂ、２０１ｃと、に部分形態となって構成する（以下同じ）。そして、望ましくは、二枚の布地２００、２０１間に、同形の防水シート２０２と、後頭布地２００ａ、２０１ａ間に位置するように設けた網２０３と緩衝材２０４とを備えた構造である。この網２０３と緩衝材２０４は、平面視して、略Ｈ形をしており、拡縮容易な構造とする（図３−１の例では）。また、網体２０３（網）と緩衝材２０４のみとする例も有り得る（図３−２の例では）。図３−２の例は，図３−１の例に準ずる。そして、前記網体２０３、及び／又は、緩衝体２０４は、平面視して、略Ｈ形を呈し、両端に三角切込み２０３ａ（２０４ａ）、２０３ｂ（２０４ｂ）と、切込み収れん部に、環状のクッション部２０５、２０６を備えている。これによって、請求項７に記載した特徴がある。
【手続補正１０】
【補正対象書類名】明細書
【補正対象項目名】００２６
【補正方法】変更
【補正の内容】
【００２６】
◎  ずきん後頭顔面部２の一方縁部２ａに繋がる頭頂部Ｈ３及び額Ｈ４を覆う、半截椀形を呈するずきん頭部３は、図１〜図３−２において、詳細に示されている。ずきん頭部３は、一方縁部２ａ（後頭部布地２００）に逢着Ｘして一体に形成されているとともに、この後頭部布地２００と、この後頭部布地２００の両側（逢着Ｘ箇所を除いた）から顔面下部布地２００ｂ及び顔面下部布地２０１ｂに設けた第１スライドファスナ７と、この第１スライドファスナ７に噛合する、ずきん頭部３の両端部に設けた第２スライドファスナ８とを備えている。従って、この第１・第２スライドファスナ７、８を噛合し、ずきん１を頭部Ｈ７に装着時した際には、図４−１の如く、ずきん後頭顔面部２の後頭布地２００ａ、２０１ａは、後頭部Ｈ１を覆い、かつ顔面下部布地２００ｂ、２００ｃと顔面下部布地２０１ｂ、２０１ｃは、顔面下部Ｈ２を覆う状態で、頭頂部Ｈ３を覆う構造である。図示のように、ずきん後頭顔面部２の後頭布地２００ａ、２０１ａが、後頭部Ｈ１に添って、略鉛直状に立設した状態で、ずきん頭部３が、略９０°に折れ曲がった状態となり、かつ頭部Ｈ７にフットするとともに、庇４が額Ｈ４に当接する。尚、ずきん頭部３は、緩衝材、網等の保護材を内装した表裏頭部布地３００で構成されている。
【手続補正１１】
【補正対象書類名】図面
【補正対象項目名】図１
【補正方法】変更
【補正の内容】
【図１】
2018114200.tif 000011
【手続補正１２】
【補正対象書類名】図面
【補正対象項目名】図２
【補正方法】変更
【補正の内容】
【図２】
2018114200.tif 000012